(57)【要約】【課題】運転状態を確実に認識できるとともに、使用者に必要以上に威圧感を与えず、夜間などにおいては、目立ちすぎて睡眠の妨げになることがない空気調和機を提供する。【解決手段】本空気調和機は、前面下部吸込口に連なる通風路壁の上端縁部に設置された光透過性半透明材料からなる帯状部材と、この帯状部材に一体的に設けられ、横方向に所定間隔で複数配設し、光透過性光学系部材で形成し、下方から光を受ける受光面と受光面の上方に受光面から入った光を前方に屈曲反射させる反射面と反射面の前方で前面下部吸込口内の通風路壁に連通する上部位置に反射された光が送られる発光表示部を複数備えた運転状態表示部と、この運転状態表示部へ光を照射する複数個の発光体を有する発光源を備える。【選択図】  図４
2006194563.tif 000002
【特許請求の範囲】
【請求項１】
室内ユニット本体に吸込口および吹出口を形成し、前記吸込口と前記吹出口を連通する送風路に熱交換器及び送風機を配置してなる空気調和機において、
前記室内ユニット本体の前面部の幅方向に設け、前記吸込口と前記吹出口とを仕切る仕切板と、
室内ユニット本体の前面に形成し前記吸込口の前面を遮蔽する板状の前面パネルと、
この前面パネル下端縁と前記仕切板上端縁の間に幅方向に開口する前面下部吸込口と、
前記仕切板上端縁から前記前面下部吸込口の内部に向かいかつ後方斜め上方に傾斜し前記前面パネル下端縁より低い高さ位置まで延設される通風路壁と、
この通風路壁上端縁に、前記前面パネル下端縁と略同一高さ位置において幅方向に設置し、光透過性半透明材料からなる帯状部材と、
この帯状部材に一体的に設けられかつ、光透過性光学系部材からなり、下方から光を受ける受光面とこの受光面の上方に位置する反射面とこの反射面からの光が通る発光表示部を複数備えた運転状態表示部と、
前記仕切板の背面側に設置され、前記運転状態表示部へ光を照射する複数個の発光体を有する発光源
を備えたことを特徴とする空気調和機。
【請求項２】
前記帯状部材は前記運転状態表示部を中心部に備えかつ、前記帯状部材の両側の幅方向両外側部分に外側運転状態表示部を備え、この外側運転状態表示部は、前記帯状部材と各々一体的に設けられかつ、その幅方向に所定の間隔で配設し下方向より受光する一対の受光面と、この受光面の上方にこの受光面から入光した光を対向した反対側の受光面に反射させる反射面と、この反射面からの光を一対の受光面間の前記帯状部材表面に拡散照射させる凹凸反射面を備えたことを特徴とする請求項１に記載の空気調和機。
【発明の詳細な説明】
【技術分野】
【０００１】
本発明は空気調和機に係り、特に運転状態表示部を改良した空気調和機に関する。
【背景技術】
【０００２】
近年、空気調和機の運転モードの多様化に伴ない、冷房運転、暖房運転、除湿運転、空気清浄運転等の運転状態に応じて、多数設けられた発光色の異なる発光体を発光させて、色調の違いで運転状態を使用者が確認できるようにしている。
【０００３】
例えば、特許文献１には、前面吸込口の前面にパネルを構成し、そのパネル下部に吸込口を形成するもので、その吸込口部分に、透光板を用いた飾りパネルを幅方向に配置して、吸込口部分全体が発光する構成とし、発光装置が配置された表示部は、吸込口と吹出口の間の前面部に配置されている。しかし、特許文献１に記載のものは、表示部が、前面パネルと同一面に配置されかつ、その周囲が透光板の反射により光るため、夜間などにおいては、目立ちすぎて睡眠の妨げになる。
【特許文献１】特開２００４−８５０２２号公報
【発明の開示】
【発明が解決しようとする課題】
【０００４】
運転状態を確実に認識できるとともに、使用者に必要以上に威圧感を与えず、夜間などにおいては、目立ちすぎて睡眠の妨げになることがない空気調和機を提供することを目的とする。
【課題を解決するための手段】
【０００５】
本空気調和機は、室内ユニット本体に吸込口、および吹出口を形成し、前記吸込口と前記吹出口を連通する送風路に熱交換器及び送風機を配置してなる空気調和機において、前記室内ユニット本体の前面部の幅方向に設け、前記前面吸込口と前記吹出口とを仕切る仕切板と、前記室内ユニット本体の前面の形成し吸込口の前面を遮蔽する板状の前面パネルと、この前面パネル下端縁と前記仕切板上端縁の間に幅方向に開口する前面下部吸込口と、前記仕切板上端縁から前記前面下部吸込口の内部に向かいかつ後方斜め上方に傾斜し前記前面パネル下端縁より低い高さ位置まで延設される通風路壁と、この通風路壁上端縁に、前記前面パネル下端縁と略同一高さ位置において幅方向に設置し、光透過性半透明材料からなる帯状部材と、この帯状部材に一体的に設けられかつ、光透過性光学系部材からなり、下方から光を受ける受光面とこの受光面の上方に位置する反射面とこの反射面からの光が通る発光表示部を複数備えた運転状態表示部と、前記仕切板の背面側に設置され、前記運転状態表示部へ光を照射する複数個の発光体を有する発光源を備えたことを特徴とする。
【発明の効果】
【０００６】
本発明に係る空気調和機によれば、運転状態を確実に認識できるとともに、使用者に必要以上に威圧感を与えず、夜間などにおいては、目立ちすぎて睡眠の妨げになることがない空気調和機を提供することができる。
【発明を実施するための最良の形態】
【０００７】
以下、本発明に係る空気調和機の一実施形態について添付図面を参照して説明する。
【０００８】
図１は本実施形態の空気調和機の室内ユニットの正面図、図２はその前面パネルを除去して示す正面図、図３はその斜視図、図４は側断面図である。
【０００９】
図１乃至図４に示すように、本実施形態に係る空気調和機は、圧縮機、室外熱交換器等（いずれも図示せず）を備えた通常の室外ユニットに冷媒が循環可能に配管接続された室内ユニットを有している。
【００１０】
この室内ユニットはユニット本体１を有し、このユニット本体１にはその前面及び上面部に吸込口２を設け、さらに、前面下部に吹出口３を設けている。
【００１１】
ユニット本体１の前面には、ユニット本体１の前面部を構成する板状の前面パネル４を取り付けている。
【００１２】
ユニット本体１内には、吸込口２と吹出口３を連通するように送風路６を形成し、この送風路６内に吸込口２と対向して熱交換器７を設け、さらに、この熱交換器７の後流側には送風機８を設けている。
【００１３】
また、吹出口３には熱交換空気の上下方向の風向を設定する吹出用のルーバ９を設けている。
【００１４】
また、ユニット本体１の前面部の幅方向に吸込口２と吹出口３とを仕切る仕切板１０を設け、前面パネル下端縁４ａと仕切板上端縁１０ａの間には、幅方向に開口し、フィルタ１１、熱交換器７、を介して通風路６に連通する前面下部吸込口２ａを設けている。
【００１５】
図５に拡大して示すように、仕切板上端縁１０ａから前面下部吸込口２ａの内部に向かって後方斜め上方に傾斜して前面パネル下端縁４ａより若干低い高さの位置まで延設する通風路壁１２を設けている。この通風路壁上端縁部１２ａに前面パネル下端縁４ａより略同等の高さの位置に幅方向に設置され、光透過性半透明材料からなる帯状部材１３を設ける。この帯状部材１３は半透明の樹脂からなり、前面下部吸込口２ａの幅と略同じ幅を持つ細長形状となっており、仕切板１０の上部に固定できるように、左右方向の所定箇所に係止片（図示せず）を形成し、仕切板１０に固定できるようになっている。
【００１６】
また、通風路壁１２の裏面に、発光ダイオードなどの発光素子１４を横長の制御基板１５上に所定間隔で複数取り付けて設け、この制御基板１５全体を箱状の基板収納ケース１６内に収めている。基板収納ケース１６の上面の発光素子１４に対向する部分は、円筒状の突起が上方に向けて形成され、その上面は開放し、発光素子１４の先端部が、その内部に収納されている。発光素子１４は、透明、黄色、緑色、赤色、青色などの色が使用され、夫々の運転モード、機能などに応じて、点灯する位置、色を変え、運転状態を表示する。
【００１７】
図６及び図７に示すように、帯状部材１３には帯状部材１３と一体的に設けた運転状態表示部１７を設けている。この運転状態表示部１７は、運転状態を示すため、例えば６個の表示部を中央部分の左右方向に所定間隔で配置している発光表示部を備えている。また、この運転状態表示部１７は、帯状部材１３の横方向に所定間隔で複数配設し光透過性材料からなるプリズム状の光学系部材からなり、前面に略ダイオードの大きさと同程度の大きさの点灯部を形成する発光面で構成している。
【００１８】
運転状態表示部１７の光学系部材下方から光を受ける受光面１８と、この受光面１８から入射する光を反射、屈折させ、略４５°傾斜する反射面１９を有し、この反射面１９で反射された光を帯状部材１３の前面下部吸込口２ａ内の通風路壁１２に連通する上部位置に形成した運転状態表示部１７の発光面に伝送するようになっている。
【００１９】
このように、仕切板上端縁１０ａから前面下部吸込口２ａの内部に向かい後方斜め上方に傾斜する通風路壁１２を設け、この通風路壁上端縁１２ａに、前面パネル下端縁３ｃ１と略同一高さ位置に帯状部材１３を設け、さらに、この帯状部材１３の裏面の発光素子１４からの光を透過、屈折させて表示する運転状態表示部１７を設けたので、発光素子１４からの光は、運転状態表示部１７の光学系部材受光面１８、反射面１９を介して発光面に伝わり、室内からは、空気調和機本体１の前面パネル下端縁４ａの奥からその運転状態（冷房、除湿、暖房、空気清浄運転など）を認識することになる。
【００２０】
なお、図中符号２０は電気集塵ユニットである。
【００２１】
本実施形態の空気調和機は、上記のような構造を有するので、使用時、リモコンから受信部を介して室内ユニットに希望運転状態（モード）を入力する。
【００２２】
例えば、就寝時には冷房温度とその温度制御が緩やかに行われる就寝冷房運転が行われ、図１に示すように、複数の発光面を備えた運転状態表示部１７を設けており、この運転モードに応じた発光素子１４が点灯する。
【００２３】
図５及び図６に示すように、発光素子１４からの光は、受光面１８で受光され、反射面１９で反射され、運転状態表示部１７の発光面に達し、発光ダイオード１４に対応する運転状態表示部１７が輝く。。このとき、発光素子１４から使用者に達する光は、反射面１９の反射による間接光でありかつ、運転状態表示部１７と一体化された帯状部材１３は光透過性半透明材料からなっているので、減光されて使用者に達するため、ソフトな表示となる。
【００２４】
また、上記のような運転状態表示部１７と帯状部材１３との組み合せにより、半透明材料からなる帯状部材１３を通して運転状態表示部１７の光が分散されてソフトな表示となり、就寝時に限らず、他の運転状態においても、点灯がまぶしすぎることがなく、その運転状態を確認でき、さらに、室内ユニット全体の美観も向上する。また、この運転状態表示部１７が、前面パネル４表面ではなく、奥まった前面下部吸込口２ａ内部の奥まった位置であるため、使用者に必要以上に威圧感を与えず、特に夜間の睡眠中においては、目の位置が低くなるため、その表示が間接照明的になり、目に入りにくくなるため、表示部の明かりが目について眠りにくいといった睡眠を妨げる弊害を減少させることができる。
【００２５】
上記実施形態においては、帯状部材の中心部近傍に運転状態表示部を設けた例で説明したが、図８に示すように、帯状部材２１の中心部近傍に運転状態表示部２２を設け、さらに、その帯状部材２１の幅方向の両外側部分に帯状に光る側部運転状態表示部２３を設けるようにしてもよい。
【００２６】
例えば、側部運転状態表示部２３は、帯状部材２１に一体的に形成され、幅方向に所定の間隔を置いて一対の下方向より光を受ける受光面２４、２５と、この受光面２４、２５の上方に受光面２４、２５から受光した光を対向した反対側の受光面側に反射、屈折させる反射面２６、２７を設け、この反射面２６、２７からの光を一対の受光面２４、２５間の帯状部材２１の表面に拡散照射させる凹凸反射面２９を設け、仕切板の背面側に設置され、帯状部材２１の受光面２４、２５へ光を照射する複数個の発光素子３０、３１を設けている。なお、反射面には必要に応じて反射膜を蒸着させるなどして形成してもよい。
【００２７】
これにより、発光する発光素子を変える、また、その輝度を変えることにより、光の帯を外側から内側または内側から外側に変更し、あるいは発光体の色を変化させることにより、さまざまな光の帯を表現でき、外観向上に寄与できる。
【００２８】
上述のように本実施形態の空気調和機によれば、運転状態を確実に認識できるとともに、使用者に必要以上に威圧感を与えず、夜間などにおいては、目立ちすぎて睡眠の妨げになることがない空気調和機が実現される。
【図面の簡単な説明】
【００２９】
【図１】本発明に係る空気調和機の室内ユニットの正面図。
【図２】本発明に係る空気調和機の室内ユニットの前面パネルを除去して示す正面図。
【図３】本発明に係る空気調和機の室内ユニットの前面パネルを除去して示す斜視図。
【図４】本発明に係る空気調和機の室内ユニットの側断面図。
【図５】図４のＡ部を拡大して示す側断面図。
【図６】本発明に係る空気調和機の室内ユニットに用いられる帯状部材及び運転状態表示部の概念図。
【図７】図６の運転状態表示部の側断面図。
【図８】本発明に係る空気調和機の室内ユニットに用いられる帯状部材及び運転状態表示部の他の実施形態の概念図。
【符号の説明】
【００３０】
１…室内ユニット本体、２…吸込口、２ａ…前面下部吸込口、３…吹出口、４…前面パネル、４ａ…前面パネル下端縁、６…送風路、７…熱交換器、８…送風機、９…ルーバ、１０…仕切板、１０ａ…仕切板上端縁、１１…フィルタ、１２…通風路壁、１２ａ…通風路壁上端縁部、１３…帯状部材、１４…発光素子、１５…制御基板、１６…基板収納ケース、１７…運転状態表示部、１８…受光面、１９…反射面、２０…電気集塵ユニット。
【図１】
2006194563.tif 000003
【図２】
2006194563.tif 000004
【図３】
2006194563.tif 000005
【図４】
2006194563.tif 000006
【図５】
2006194563.tif 000007
【図６】
2006194563.tif 000008
【図７】
2006194563.tif 000009
【図８】
2006194563.tif 000010